(57)【要約】【課題】浴槽目地材の取り付け構造の簡素化が図れ、浴槽目地材の浴槽框の外側壁への取り付け作業を容易、かつ短時間になし得、更に、安価に製造できる浴槽目地材を提供する。【解決手段】本発明は、浴槽の側壁の上端部に形成された浴槽框１の外側壁３と浴室Ａの壁面４との間に介装される浴槽目地材５であって、帯状に形成され、外側壁３の上端部３ａと浴室Ａの壁面４との隙間Ｓを覆う被覆部６と、該被覆部６の長手方向に延在し、かつ該被覆部６の幅方向中間部から下方に垂下する垂下部７と、該垂下部７に形成され、外側壁３下端縁３ｂに係合させる係合壁部８とを備えてなり、係合壁部８は、垂下部７に形成された分断用切れ目を破断して該垂下部７から立ち上がるように折曲された壁部であることを特徴とする。【選択図】図１
2010284337.tif 000002
【特許請求の範囲】
【請求項１】
浴槽の側壁の上端部に形成された浴槽框の外側壁と浴室の壁面との間に介装される浴槽目地材であって、
帯状に形成され、前記外側壁の上端部と前記浴室の壁面との隙間を覆う被覆部と、該被覆部の長手方向に延在し、かつ該被覆部の幅方向中間部から下方に垂下する垂下部と、該垂下部に形成され、前記外側壁下端縁に係合させる係合壁部とを備えてなり、
前記係合壁部は、前記垂下部に形成された分断用切れ目を破断して該垂下部から立ち上がるように折曲された壁部であることを特徴とする浴槽目地材。
【請求項２】
請求項１に記載の浴槽目地材において、
前記係合壁部は、前記垂下部の長手方向に互いに間隔を置いて複数設けられていることを特徴とする浴槽目地材。
【請求項３】
請求項２に記載の浴槽目地材において、
前記複数の係合壁部は、前記外側壁下端縁に係合させる係合面の上下方向の位置が、互いに異なるものを含むことを特徴とする浴槽目地材。
【発明の詳細な説明】
【技術分野】
【０００１】
本発明は、浴室の壁面と浴槽との隙間を塞ぐための浴槽目地材に関する。
【背景技術】
【０００２】
周知のように、浴槽の側壁部の上端部と浴室との壁面との間に湯水が侵入することを防止するために、この間の隙間を塞ぐための浴槽目地材が提案されている。従来、この種の浴槽目地材としては、浴槽の側壁部の上端部に形成された浴槽框の外側壁と浴室の壁面との隙間を覆う被覆部と、この被覆部から下方へ延びる垂下部とからなる断面Ｔ字状に形成されたものが一般的であり、下端部を浴槽框の外側壁に係合する構成とされている。そして、この浴槽目地材は、ゴム及びポリプロピレンのような弾性変形可能な材料を用いて、押出成形法により成形されるのが一般的である。
ところで、この種の浴槽目地材が設けられる部分は、浴槽框の外側壁の形状が、例えば長手方向における高さ寸法が変化するような形状の場合、浴槽目地を当該外側壁に良好に係合できない場合がある。すなわち、浴槽目地材は、押出成形法により製造されることから、垂下部の上下方向の寸法が一定であり、取り付け対象となる外側壁の高さ寸法が長手方向に向けて変化する場合に、浴槽目地材の下端部を外側壁下端に係合させることが困難となる。
そこで、このような問題に対処するため、浴槽目地材と浴槽框の側面とを常に堅固に固定する点を改善した浴槽目地材として、下記特許文献１に開示されたものが知られている。
【０００３】
特許文献１に開示された浴槽目地材は、図６に示すように、浴槽１００の側壁部１０１の上端部に形成された浴槽框１０２の外側壁１０３と浴室の壁面１０４との間に介装されるものであって、浴槽框１０２の外側壁１０３と浴室の壁面１０４との隙間Ｓを覆う被覆部１０５と、該被覆部１０５の長手方向に延在し、かつ該被覆部１０５の幅方向中間部から下方に垂下する垂下部１０６と、該垂下部１０６に形成され、浴槽框１０２の外側壁１０３の下端縁１０３ａに係合させる係合壁部１０７とから形成される。
【０００４】
この浴槽目地材１０８は、図６に示すように、浴槽框１０２と壁面１０４との隙間Ｓに被覆部１０５を位置させて、垂下部１０６の下端に形成された係合壁部１０７を外側壁１０３の下端１０３ａに係合させるものであるが、外側壁１０３の寸法誤差や、外側壁１０３の形状が、その外側壁１０３の長手方向（図面に直交する方向）に高さ寸法が変化する場合、例えば浴槽１００の中央部で凹ませるような曲線状を呈するような場合には、外側壁１０３の高さ寸法が異なるため、係合壁部１０７が良好に係合できない場合が生じる。そこで、浴槽目地材１０８に孔１０９を形成し、さらに外側壁１０３に対応する位置に孔１１０を形成し、リベット１１１を挿入して固定することにより浴槽目地材１０８を浴槽１００の外側壁１０３に固定する。この場合、リベット１１１は外側の筒状部材１１２と軸部材１１３とからなるものであって、軸部材１１３を筒状部材１１２に挿入したときに、筒状部材１１２の先端部が拡開するように構成されたものである。この構成の下に、係合壁部１０７と外側壁１０３の下端１０３ａの位置が合致しない場合に、リベット１１１によって、浴槽框１０２の外側壁１０３と浴槽目地材１０８の垂下部１０６とを強固に結合するものである。
【先行技術文献】
【特許文献】
【０００５】
【特許文献１】特開２００８−７３３７５号公報
【発明の概要】
【発明が解決しようとする課題】
【０００６】
ところで、上記浴槽目地材１０８においては、係合壁部１０７を外側壁１０３の下端縁１０３ａに適切に係合できない箇所において、リベット１１１で浴槽目地材１０８を浴槽框１０２の外側壁１０３に固定するものであるが、このような構成においては、浴槽目地材１０８の垂下部１０６と浴槽框１０２の外側壁１０３とに穴加工をすることが必要となり、また、筒状部材１１２と軸部材１１３とからなるリベット１１１を用いるため、浴槽目地材１０８の固定構造が複雑になるという問題があった。
また、浴槽目地材１０８と浴槽框１０２との取り付け作業においても、両者に設けた穴の位置合わせをした上で、筒状部材１１２に軸部材１１３を挿入して筒状部材１１２先端を変形させて固定する必要があり、取り付けに手間と時間がかかりその作業が面倒であるという問題があった。
また、上記のようにリベット１１１を用いることなく、浴槽目地材１０８の係合壁部１０７を浴槽框１０２の外側壁１０３の下端１０３ａに常に良好に取り付けるためには、該浴槽框１０２専用の浴槽目地材を製造すればよいが、このような浴槽目地材は押出成形により成形されるため、浴槽框１０２の外側壁１０３の形状・仕様に応じて個々に浴槽目地材１０８の金型を準備しなければならず、製造される浴槽目地材１０８の大幅なコストアップを招くという問題があった。
【０００７】
本発明は上記事情に鑑みてなされたものであり、浴槽目地材の取り付け構造の簡素化が図れ、浴槽目地材の浴槽框の外側壁への取り付け作業を容易、かつ短時間になし得、更に、安価に製造できる浴槽目地材を提供することを目的とする。
【課題を解決するための手段】
【０００８】
上記目的を達成するために、この発明は以下の手段を提供している。
請求項１の発明は、浴槽の側壁の上端部に形成された浴槽框の外側壁と浴室の壁面との間に介装される浴槽目地材であって、帯状に形成され、前記外側壁の上端部と前記浴室の壁面との隙間を覆う被覆部と、該被覆部の長手方向に延在し、かつ該被覆部の幅方向中間部から下方に垂下する垂下部と、該垂下部に形成され、前記外側壁下端縁に係合させる係合壁部とを備えてなり、前記係合壁部は、前記垂下部に形成された分断用切れ目を破断して該垂下部から立ち上がるように折曲された壁部であることを特徴とする。
請求項２の発明は、前記係合壁部は、前記垂下部の長手方向に互いに間隔を置いて複数設けられていることを特徴とする。
請求項３の発明は、前記複数の係合壁部は、前記外側壁下端縁に係合させる係合面の上下方向の位置が、互いに異なるものを含むことを特徴とする。
【発明の効果】
【０００９】
請求項１の発明によると、浴槽目地材を浴槽框の外側壁に係合させる係合壁部を、垂下部に形成された分断用切れ目を破断して該垂下部から立ち上がるように折曲された壁部としたので、係合壁部と外側壁との係合を簡単な構造によって実現することができるという効果を奏する。
【００１０】
また、浴槽目地材の取り付けの際に、リベット等の他の部材を用いることなく、係合壁部を外側壁の下端縁に係合させるだけでよいので、係合作業が簡便で、浴槽目地材の浴槽框の外側壁への取り付け作業が簡単かつ短時間になし得るという効果を奏する。
【００１１】
またさらに、浴槽框の外側壁の形状に合わせた係合壁部を形成するためには、押出形成法で形成された浴槽目地材の垂下部に、分断用切れ目を、その位置を考慮して設けるだけで対応できるので、浴槽框の形状に良好に適用できる浴槽目地材を安価に製造することができるという効果を奏する。
請求項２の発明によると、係合壁部を、前記垂下部の長手方向に互いに間隔を置いて設けたので、浴槽目地材を全体としてバランスよく外側壁に固定することができる。
【００１２】
請求項３の発明によると、外側壁の下端縁に係合させる係合面の上下方向の位置を異なるものを有する構成としたので、浴槽框の外側壁の形状に応じて係合面の位置を異ならせることにより、装着対象の浴槽の仕様・形状に応じて、浴槽目地を常に浴槽框の外側壁の下端縁に確実に係合させることができるという効果を奏する。
【図面の簡単な説明】
【００１３】
【図１】は、本発明の一実施形態として示した浴槽目地材を浴室内に設置された浴槽と浴室壁面との間に装着した状態を示す側断面図である。
【図２】は、本発明の一実施形態として示した浴槽目地材を浴槽框に装着する方法を説明する斜視図である。
【図３】は、本発明の一実施形態として示した浴槽目地材の一部を示す斜視図であり、係合壁部が形成された状態を示す図である。
【図４】は、本発明の一実施形態として示した浴槽目地材の一部を示す正面図である。
【図５】は、本発明の一実施形態として示した浴槽目地材の分断用切れ目の例を示す正面図である。
【図６】は、従来の浴槽目地材を浴室内に設置された浴槽に浴室壁面との間に装着した状態を示す側断面図である。
【発明を実施するための形態】
【００１４】
以下、本発明の第１実施形態による浴槽目地材を、図を参照して説明する。
図１は、浴室内に設置された浴槽と浴室壁面との間に本発明による浴槽目地材を装着した状態を示す図である。図において、符号１は、浴槽の側壁の上端部に形成された浴槽框の一部を示しており、この浴槽框１は、水平方向に延在する水平壁部２と、その外端から下方へ垂下する外側壁３とを備えている。
また、４は、浴室Ａの壁面を示しており、この浴室Ａの壁面４と、外側壁３の外面との間には、隙間Ｓが形成されている。
【００１５】
符号５は、本発明の一実施形態として示した浴槽目地材を示しており、この浴槽目地材５は、帯状に形成され、外側壁３の上端部３ａと前記浴室の壁面４との隙間Ｓを覆う被覆部６と、この被覆部６の幅方向中央部下面から下方に垂下する垂下部７と、該垂下部７の下端部側に形成され、外側壁３の下端縁３ｂに係合させる係合壁部８と、垂下部７の先端部に形成される下部係合壁部９とから形成されている。
【００１６】
図２に示すように、浴槽２０は、底壁部２１と、この底壁部２１から立ち上がる側壁２２、２２と、この側壁２２、２２に連設された前後の壁部２３、２３と、側壁２２、２２及び前後壁部２３、２３の上端部に形成された浴槽框１と、浴槽框１の前後に形成された化粧壁部２４とを備えてなるものである。この場合、側壁２２、２２の上面に位置する浴槽框１Ａ、１Ａは、下端面３ｂに対する上端部３ａの高さが、前後両端２３ａ、２３ｂから中央部に向かう従って漸次小となるように形成されており、中央部が凹所となる形状とされている。
【００１７】
図１に示すように、浴槽目地材５の被覆部６は、その上面６ａが外観美麗な化粧面とされており、幅方向の浴槽框１に接する側の先端部６ｂに向かうに従い漸次厚み寸法が小となるように形成され、さらに浴室の壁面４に接する側の先端部６ｃも漸次厚み寸法がやや小となるように形成されたものであり、軟質樹脂により形成されることによって、その両端部６ｂ、６ｃが浴槽框１及び壁面４に接したときに弾性変形できるようになっている。
【００１８】
垂下部７は、その上端の薄厚部７ａと、中間部から下端部に至る肉厚部７ｂとからなっている。薄厚部７ａは、被覆部６及び肉厚部７ｂに対して左右方向にわずかに変形可能となっている。
【００１９】
係合壁部８は、後述するように、垂下部７に形成される分断用切れ目を破断して該垂下部から立ち上がるようにして形成されたものである。すなわち、係合壁部８は、図３に示すように、垂下部７の一部に２つを一組として形成されたものであって、上下方向（垂直方向）の折曲線Ｆを中心として垂下部７から立ち上がるように折り曲げて形成されたものである。この係合壁部８は、垂下部７から突出する先端部側に、上方へ突出して図１に示す外側壁３の背面３ｃに係止させる掛止壁部８ａが形成されており、全体として側面から視てＬ字状に形成されている。この場合、図３に示すように、係合壁部８の上面は、外側壁３の下端面３ｂに係合させる係合面８ｂを構成している。
係合面８ｂの長手方向、すなわち垂下部７から掛止壁部８ａまでの寸法は、外側壁３の厚み寸法よりもやや大きめの寸法とされている。
【００２０】
また、係合壁部８は、図４に示すように、浴槽目地材５の長手方向に一定の間隔を隔てて複数個設けられたものである。この場合、各係合壁部８、８・・は、図３に示すように、係合面８ｂの上下方向の位置、すなわち、被覆部６を基準とした場合、被覆部６から寸法Ｈだけ下方にある係合面８ｂの位置が、各係合壁部８によって図２に示す浴槽框１の外側壁３の長手方向の各高さ寸法に対応するようにそれぞれ異なるように形成されている。具体的には、図２において、係合壁部８のうち、係合壁８−１は、外側壁３の符号３−１で示す部分の寸法Ｔ１に対応する寸法とされており、同様に８−２は、３−２で示す部分の寸法Ｔ２に、８−３は、３−３で示す部分の寸法Ｔ３に対応する寸法とされている。
【００２１】
下部係合壁部９は、図１に示すように、垂下部７の最下端部に形成されたものであり、垂下部７の長手方向に向けて、図３に示す係合壁部８の下面８ｃに近接させて垂下部７から側方へ突出するように形成されたものである。
【００２２】
浴槽目地材５の、被覆部６の成形材料としては、例えば、エラストマー（軟質系樹脂）を好適に用いることができる。また、垂下部７及び下部係合壁部９の成形材料としては、ポリプロピレン等の硬質系樹脂を好適に用いることができる。
【００２３】
次に、上記の浴室目地材５を形成する方法について説明すると、被覆部６は軟質材料を用い、垂下部７は硬質樹脂を用いて、これらを押出形成法により一体に成形する。その後、をプレス加工により係合壁部８形成用の分断用切れ目を形成する。
【００２４】
分断用切れ目は、図５に示すように、下部係合壁部９の上方に形成されるものであって、２つの係合壁部８、８を分断する分断用切れ目３０と、この分断用切れ目３０の上方に水平方向に形成された上部分断切れ目３１と、この上部分断切れ目３１から下方へ向かう分断用切れ目３２、３２と、この分断用切れ目３２、３２の下端部から水平方向に向かう分断用切れ目３３、３３と、下部係合壁部９の上端に沿う下部分断用切れ目３４とからなっており、分断用切れ目３３、３３と下部分断用切れ目３４との間が垂直方向の折り曲げ線Ｆ、Ｆとなっている。
【００２５】
上記のように分断用切れ目３０から３４を形成した後に、上記の各分断様切れ目３３から３４及び折り曲げ線Ｆ、Ｆで囲まれた部分を図１に示すように矢印Ｘ方向（被覆部６の先端部６ｃ側から先端部６ａ側）へ押圧することにより、各分断用切れ目３０から３４を分断し、折り曲げ線Ｆ、Ｆを中心として立ち上げ、観音開きすることにより、係合壁部８、８が形成される。この際、係合壁部８、８の立ち上がり角度は、外側壁３の厚みに合わせて、この外側壁３の背面３ｃに掛止壁部８ａが係合する程度の大きさとする。
このように係合壁部８、８を形成した場合には、分断用切れ目３０から３４を分断した後に、図３に示すように、分断後の部分に開口部３５が形成されることになる。
【００２６】
次に、上記のように構成された浴槽目地材５を、浴槽２０に装着する方法について説明する。
まず、浴室Ａ内に浴槽２０を搬入する前に、図２に示すように、浴槽２０の側壁２２の上部に位置する浴槽框１Ａに対向するように浴槽目地材５を配置する。この場合、浴槽目地材５は、係合壁部８を浴槽框１側に向けて立ち上げた状態に加工しておく。また、各浴槽目地材５には、図４に示すようにその浴槽框１側に面する面に一定間隔おきに両面テープ３６を貼着しておく。
【００２７】
そして、浴槽２０の側部に対しては、本発明にかかる浴槽目地材５の係合壁部８、８・・を浴槽框１側に突出するように加工した状態において、図１に示すように、浴槽框１の中間部においては、係合壁部８を外側壁３の下方に位置させ、垂下部７を外側壁３の外面３ｄに沿わせて位置させ、浴槽目地材５を変位させて相対的に浴槽框１の外側壁３の下端面３ｂを係合壁部８の係合面８ｂに係合させる。また、浴槽框１の左右両端部においては、下部係合壁部９を、外側壁３の下端面３ｂに係合させ、更に、両面テープ３６を外側壁３の外面３ｄに当接、押圧させて、垂下部７を外側壁３の外面３ｄに貼着する。
【００２８】
なお、上記の説明においては、浴槽目地材５の浴槽２０の長手方向の浴槽框１に装着する方法について説明したが、図２に示すように、浴槽框１の前後に配置する浴槽目地材１０、１０も用意する。この場合、前後の框１Ｂ、１Ｂの浴槽目地材１０、１０は、浴槽框１の長さ方向の各高さ寸法が一定であるので、前述したような係合壁部８を設けることなく、下部係合壁部９のみが設けられた構成となっている。この浴槽目地材１０、１０についても、両面テープ３６によって浴槽框１の前後１Ｂ、１Ｂに貼着する。
【００２９】
このようにして浴槽目地材５、１０を装着した浴槽２０を浴室内に搬入し、浴室の壁面４及び前後壁（不図示）の間に設置する。かくして、浴室の壁面４と浴槽２０の浴槽框１Ａ、浴槽２０の前面、後面の浴槽框１Ｂ、１Ｂとの間に、浴槽目地材５、１０が配置されることになる。
【００３０】
上記のように浴室内に浴槽２０及び浴槽目地材５を設置した場合、図１に示すように、浴槽目地材５は、浴槽框１と浴室の壁面４との間を被覆部６が覆い、係合壁部８の係合面８ｂに浴槽框１の外側壁３の下端が係合する。このとき、図２に示すように、浴槽目地材５の左右両端側５ａ、５ｂにおいては、下部係合壁部９が浴槽框１の外側壁３の下端縁３ｂに係合し、浴槽框５の中間部においては、各係合壁部８の係合面８ｂに浴槽框１の外側壁３の下端縁３ｂが係合する。
【００３１】
この際、浴槽框１の外側壁３の高さ寸法は、その長さ方向において寸法が異なるように形成されているが、浴槽目地材５は、その高さにそれぞれ対応するように係合壁部８及びその係合面８ｂが形成されているので、寸法誤差なく確実に浴槽框１の外側壁３の下端縁３ｂに係合されることになる。
【００３２】
かくして、浴室の壁面４と浴槽框１との間には、浴槽目地材５が配設されるので、浴槽２０に湯を貯留して浴槽２０を使用した際に、湯水が浴槽框１の上面に飛散した場合であっても、該湯水が隙間Ｓに入り込まず、浴槽２０の浴槽框１Ａの中央部が凹所となるようにやや湾曲して形成されているので、この中央部に流れてきて浴槽２０内に戻されることになる。よって常に浴槽框１部分は外観美麗に保たれる。
【００３３】
上記の構成による浴槽目地材５によれば、浴槽框１の外側壁３に係合させる係合壁部８を、垂下部７に形成された分断用切れ目３０から３４を破断して該垂下部７から立ち上がるように折曲された壁部としたので、係合壁部８と外側壁３との係合を簡単な構造によって実現することができる。
【００３４】
また、浴槽目地材５の取り付けの際に、リベット等の他の部材を用いることなく、係合壁部８を外側壁３の下端縁３ｂに係合させるだけでよいので、係合作業が簡便で、浴槽目地材５の外側壁３への取り付け作業が簡単かつ短時間になし得る。
【００３５】
またさらに、浴槽框１の外側壁３の形状に合わせた係合壁部８を形成するためには、押出形成法で形成された浴槽目地材５の垂下部７に、分断用切れ目３０から３４を、その位置を考慮して設けるだけで対応できるので、浴槽框１の形状に良好に適用できる浴槽目地材５を安価に製造することができる。
【００３６】
また、係合壁部８を、垂下部３の長手方向に互いに間隔を置いて設けたので、浴槽目地材５を全体としてバランスよく外側壁３に固定することができる。
【００３７】
また更に、係合壁部８の係合面８ｂの上下方向の位置を、浴槽框１の外側壁３の形状に応じて形成したことにより、浴槽框１の側壁３の高さが長手方向両端部と中央において異なった形状であるにもかかわらず、浴槽目地材５を常に浴槽框１の外側壁３の下端縁３ｂに確実に係合させることができる。
【００３８】
また、係合壁部８が上下方向の折曲線Ｆを中心として折曲されているので、係合壁部８が略上下方向に延在する構成となり、高い強度が得られ、外側壁３との係合に耐える十分な強度が得られるという効果を奏する。
【００３９】
また、係合壁部８には、外側壁３の背面に掛止させる掛止壁部８ａが形成されているため、垂下部７の浴室壁面４側への移動を規制し、浴槽目地材５を外側壁３に対してより強固に一体化した係合が可能となる。また、外側壁３の厚み寸法に応じて係合壁部８の立ち上がり角度を調整すれば、掛止壁部８ａを外側壁３に密着させることができ、常に浴槽目地材５を外側壁３に強固に固定することができる。
【００４０】
また、係合壁部８の下面８ｃに近接させて下部係合壁部９が形成されているので、係合壁部８に外側壁３からの荷重がかかった場合にも、適切に外側壁３を支持することができ係合壁部８の変形・変位を防止することができ、浴槽目地材５の外側壁３への固定を強固に行うことができるという効果を奏する。
【符号の説明】
【００４１】
１    浴槽框
３    外側壁
３ａ  外側壁上端部
３ｂ  外側壁下端縁
４    浴室の壁面
５    浴槽目地材
６    被覆部
７    垂下部
８    係合壁部
８ａ  掛止壁部
８ｂ  係合面
９    下部係合壁部
２０  浴槽
２２  側壁
３０から３４  分断用切れ目
Ｆ    折曲線
Ｓ    隙間
【図１】
2010284337.tif 000003
【図２】
2010284337.tif 000004
【図３】
2010284337.tif 000005
【図４】
2010284337.tif 000006
【図５】
2010284337.tif 000007
【図６】
2010284337.tif 000008